(57)【要約】【課題】本発明は、シガライターから落下する灰により車室内が汚れるのを防止し、シガライターと灰皿のレイアウトの自由度を増大させることが可能な車両用シガライター装置を提供することにある。【解決手段】本発明は、車両の左右シートの間に配置されるフロアコンソールを前側コンソール２と前側コンソール２に取付けられるカップホルダガーニッシュ１５とで形成し、カップホルダガーニッシュ１５に略水平面形状のシガライター取付部３２を設け、シガライター取付部３２にシガライター装置１を略垂直方向に向けて配設すると共に、シガライター取付部３２の下方に位置する前側コンソール２に灰皿と別体に形成された略水平な灰受け面３７を配設している。【選択図】図１
2004196084.tif 000002
【特許請求の範囲】
【請求項１】
車室内面に略水平面形状のシガライター取付部を設け、該シガライター取付部にシガライターを略垂直方向に向けて配設すると共に、前記シガライター取付部の下方に灰皿と別体に形成された略水平な灰受け面を配設したことを特徴とする車両用シガライター装置。
【請求項２】
車両の左右シートの間に配置されるフロアコンソールをコンソール本体と該コンソール本体に取付けられるカップホルダガーニッシュとで形成し、該カップホルダガーニッシュに略水平面形状のシガライター取付部を設け、該シガライター取付部にシガライターを略垂直方向に向けて配設すると共に、前記シガライター取付部の下方に位置する前記コンソール本体に灰皿と別体に形成された略水平な灰受け面を配設し、該灰受け面の周縁部に作業用開口部を設け、該作業用開口部に前記カップホルダガーニッシュを取付けたことを特徴とする車両用シガライター装置。
【請求項３】
前記カップホルダガーニッシュのシガライター取付部の下方側面部は、ガーニッシュ側壁およびカップホルダ部側壁によって囲われていることを特徴とする請求項２に記載の車両用シガライター装置。
【請求項４】
前記灰受け面の側端部には凸部が形成されていることを特徴とする請求項１〜３のいずれかに記載の車両用シガライター装置。
【請求項５】
前記灰受け面が前記シガライター取付部に一体成形されていることを特徴とする請求項１に記載の車両用シガライター装置。
【発明の詳細な説明】
【０００１】
【発明の属する技術分野】
本発明は、車両のフロアコンソールなどに搭載されるシガライター装置に関するものである。
【０００２】
【従来の技術】
従来から、自動車のシガライターは、運転手などの利便性を考慮して、インストルメントパネルやフロアコンソール等に組付けられている。また、シガライターは、その性質上、灰皿の横位置や上方位置に配設されている（例えば、特許文献１参照）。なお、従来例としては、シガライターが内蔵された灰皿もある。
【０００３】
【特許文献１】
実開昭６２−６１４７号公報
【０００４】
【発明が解決しようとする課題】
しかしながら、上述した従来のシガライターでは、構造上、ライターに付着した煙草の灰が下方に落下する可能性があるので、車室内のフロアなどを汚すおそれがあった。また、シガライターが内蔵された灰皿では、ライターに付着した煙草の灰が灰皿に落下するような機構を有するものもあるが、その場合、シガライターと灰皿とは常に定位置のレイアウトを行う必要があるので、デザインの自由度が制限されるという不具合を有していた。
【０００５】
本発明はこのような実状に鑑みてなされたものであって、その目的は、シガライターから落下する灰により車室内が汚れるのを防止し、シガライターと灰皿のレイアウトの自由度を増大させることが可能な車両用シガライター装置を提供することにある。
【０００６】
【課題を解決するための手段】
上記従来技術の有する課題を解決するために、本発明においては、車室内面に略水平面形状のシガライター取付部を設け、該シガライター取付部にシガライターを略垂直方向に向けて配設すると共に、前記シガライター取付部の下方に灰皿と別体に形成された略水平な灰受け面を配設している。
【０００７】
また、本発明においては、車両の左右シートの間に配置されるフロアコンソールをコンソール本体と該コンソール本体に取付けられるカップホルダガーニッシュとで形成し、該カップホルダガーニッシュに略水平面形状のシガライター取付部を設け、該シガライター取付部にシガライターを略垂直方向に向けて配設すると共に、前記シガライター取付部の下方に位置する前記コンソール本体に灰皿と別体に形成された略水平な灰受け面を配設し、該灰受け面の周縁部に作業用開口部を設け、該作業用開口部に前記カップホルダガーニッシュを取付けている。
【０００８】
そして、本発明において、前記カップホルダガーニッシュのシガライター取付部の下方側面部は、ガーニッシュ側壁およびカップホルダ部側壁によって囲われている。
また、本発明において、前記灰受け面の側端部には凸部が形成されている。
さらに、本発明において、前記灰受け面が前記シガライター取付部に一体成形されている。
【０００９】
【発明の実施の形態】
以下、本発明を図示の実施の形態に基づいて詳細に説明する。
【００１０】
図１〜図８は、本発明に係る車両用シガライター装置の実施の形態を示している。本実施形態におけるシガライター装置１は、分割式のフロアコンソールボックスに組付けられるタイプであり、このフロアコンソールボックスは、図７および図８に示す如く、前側コンソール（コンソール本体）２と後側コンソール３とで構成され、自動車の車室内の左右フロントシート（図示せず）間で車両前後方向に沿って配置されており、これら前側コンソール２の後部４と後側コンソール３の前部５とを互いに嵌合することによってフロアパネル６上に組付けられるようになっている。
このため、フロアパネル６上には、前側コンソール２の前後端の位置と対応して、フロントブラケット７およびセンタブラケット８がスクリュ９を用いて取付けられていると共に、シフトレバー１０を有するトランスミッション装置１１が設置されている。また、フロアパネル６上には、後側コンソール３の前後中間位置に対応して、ブレーキレバー１２を有するパーキングブレーキ装置１３が設置されており、このパーキングブレーキ装置１３の後部にはリヤブラケット１４がスクリュ９を用いて取付けられている。
【００１１】
前側コンソール２は、車両前後方向に沿って延びる下面開口のボックス状体であり、その上面は、前半部分よりも後半部分の方が高くなるような階段状に形成されている。そして、前側コンソール２の上面には、カップホルダガーニッシュ１５を組付ける作業用開口部１６と、シフトレバー１０を挿通せしめるレバー用開口部１７が前後方向に間隔を置いて設けられている。また、前側コンソール２の前方寄りで、左右両側面の下部には、スクリュ９を挿入するスクリュ孔１８がフロントブラケット７と対応して設けられている。なお、前側コンソール２の後部４であって、左右両側の下部には、クリップ１９を用いてセンタブラケット８に組付けるフロア取付部２０が設けられている。
【００１２】
一方、後側コンソール３は、車両前後方向に沿って延びる前面開口および下面開口のボックス状体であり、前部５は正面視で下向き開口のコ字状に形成され、上面の中間部分は側面視で半円形状に立ち上がっている。そして、後側コンソール３の上面には、センタキャップ２１を組付ける作業用開口部２２と、挿通せしめたブレーキレバー１２を所定の範囲にわたり移動可能とする長孔形状の操作用開口部２３が前後方向に連通して設けられている。また、後側コンソール３の後方寄りで、左右両側面の中間部には、クリップ１９を圧入するクリップ孔２４がリヤブラケット１４と対応して設けられている。
【００１３】
ところで、本発明の実施の形態に係るシガライター装置１は、図１〜図６に示す如く、シガライター本体２５およびシガライターソケット２６を備えており、フロアコンソールボックスの一部を構成するカップホルダガーニッシュ１５に組付けられるようになっている。シガライターソケット２６は、カプラー２７を介してシガライターハーネス２８に電気的に接続されており、その周囲には、煙草の灰が溜まらないようにするための貫通穴２９が設けられている。
【００１４】
また、カップホルダガーニッシュ１５としては、シガライター装置１とシガライターハーネス２８との結線を容易にし、かつ前側コンソール２に対してシガライターハーネス２８を取り出すのに必要な手の入るスペースを設けるために、前側コンソール２と別体の大きな部品が用いられている。このようなカップホルダガーニッシュ１５は、上面周辺の前部および左右両側部が下方へ向けてフランジ状に折り曲げられており、車両後方側に位置するカップホルダ部３０と、該カップホルダ部３０の前方で左側寄りまで延びて位置する物入れ部３１と、該物入れ部３１の左側に位置するシガライター取付部３２とをそれぞれ備えている。
【００１５】
カップホルダ部３０および物入れ部３１は、作業用開口部１６より前側コンソール２の前部内に収納すべく、下向きの凹陥形状に形成されている。また、シガライター取付部３２は、車両後方へ向かってやや下り傾斜の略水平面形状に形成され、その平坦面にはシガライター本体２５の頭部を除いてシガライター装置１を挿入配置する挿入穴３２ａが設けられており、この挿入穴３２ａに挿入することによって、シガライター装置１は、下向きの略垂直方向に向けられて配設されるようになっている。
しかも、カップホルダガーニッシュ１５の下面側には、図３に示す如く、前側コンソール２に組付ける際に用いる複数（本実施形態では合計５個）のクリップ３３と、複数（本実施形態では合計６個）の爪状リブ３４が設けられており、これらクリップ３３および爪状リブ３４は、外周フランジ部分の内壁面やカップホルダ部３０の底面の所定箇所で、前後左右に間隔を置きながらカップホルダガーニッシュ１５の下面から突出して配置されている。
【００１６】
一方、前側コンソール２の前部で、作業用開口部１６の上部周縁には、カップホルダガーニッシュ１５のクリップ３３と対応して取付穴３５が合計５箇所にわたり設けられていると共に、爪状リブ３４と対応して差込穴３６が合計６箇所にわたり設けられている。また、シガライター取付部３２の下方に位置する前側コンソール２の前部左側寄りには、灰皿（図示せず）と別体に形成された略水平な灰受け面３７が配設されている。
この灰受け面３７は、図１、図２および図５に示す如く、前側コンソール２の前部上面よりも一段落とし込んだ高さ位置に形成されており、その側面部は、ガーニッシュ側壁、物入れ部側壁およびカップホルダ部側壁によって囲われている。しかも、灰受け面３７の側端部には、これを囲う高さの凸部３８が形成されている。したがって、本実施の形態のフロアコンソールボックスでは、灰受け面３７の周縁部に作業用開口部１６が設けられ、この作業用開口部１６にカップホルダガーニッシュ１５が取付けられることになる。
【００１７】
本発明の実施形態に係るシガライター装置１を取付けるには、先ず、分割式のフロアコンソールボックスを車体のフロアパネル６上に組付ける。すなわち、図７に示す状態の前側コンソール２を持ってフロアパネル６上に載置し、フロアパネル６に取付けられているフロントブラケット７にスクリュ孔１８より挿入したスクリュ９で締付けると共に、フロアパネル６に取付けられているセンタブラケット８にフロア取付部２０の嵌合孔より圧入したクリップ１９で固定することにより、前側コンソール２を組付ける。次いで、図７に示す状態の後側コンソール３を持ち、クリップを上方から前側コンソール２の後部４の嵌合孔（図示せず）に圧入して嵌合させながら、後側コンソール３の前部５を前側コンソール２の後部４に重ね合わせる。そして、フロアパネル６上のパーキングブレーキ装置１３に取付けられているリヤブラケット１４にクリップ孔２４より圧入したクリップ１９で固定することにより、後側コンソール３を組付ける。しかる後、センタキャップ２１をパーキングブレーキ装置１３のブレーキレバー１２と後側コンソール３との間に入れて組付ける。
【００１８】
この間、図１および図２に示す如く、シガライター装置１をカップホルダガーニッシュ１５のシガライター取付部３２の挿入穴３２ａに取付けると共に、カプラー２７およびシガライターハーネス２８をカップホルダガーニッシュ１５の灰受け面３７に仮置きしておく。そして、前側コンソール２をフロアパネル６に組付けた後、図６に示す如く、カップホルダガーニッシュ１５を持って作業用開口部１６へ向かって上方より被せ、シガライターハーネス２８をシガライター装置１に結線しながら、クリップ３３および爪状リブ３４を対応する取付穴３５および差込穴３６に嵌合させれば、シガライター装置１を取付けたカップホルダガーニッシュ１５は、前側コンソール２の前部に組付けられることになる（図３〜図５参照）。
【００１９】
本発明の実施形態に係る車両用シガライター装置１では、カップホルダガーニッシュ１５に略水平面形状のシガライター取付部３２を設け、シガライター取付部３２の挿入穴３２ａにシガライター本体２５およびシガライターソケット２６を挿入して略垂直方向に向けて配設し、シガライター取付部３２の下方に位置する前側コンソール３に灰皿と別体に形成された略水平な灰受け面３７を配設しているため、垂直方向配置のシガライター装置１の下方に灰皿を設けることができなくなった場合に、シガライター装置１の使用後、シガライター本体２５に付着した煙草の灰が貫通穴２９を通り抜けても灰受け面３７で受け取ることができ、煙草の灰によりフロアパネル６などが汚れるのを防ぐことができる。
また、灰受け面３７の周縁部には、作業者の手を入れることが可能な作業用開口部１６を設け、作業用開口部１６にカップホルダガーニッシュ１５を取付けているため、シガライターハーネス２８を前側コンソール２の下方から容易に取り出すことができ、組付作業性の向上を図ることができる。さらに、本発明の実施形態では、灰受け面３７の側端部に凸部３８を形成しているため、カプラー２７およびシガライターハーネス２８などを灰受け面３７に仮置きすることができ、シガライター装置１の組付性を向上させることができる。
【００２０】
以上、本発明の実施の形態につき述べたが、本発明は既述の実施の形態に限定されるものではなく、本発明の技術的思想に基づいて各種の変形および変更が可能である。例えば、図９および図１０に示す如く、灰受け面３７ａが前側コンソール２側でなく、シガライター取付部３２に一体成形することによってカップホルダガーニッシュ１５側に設けられていても良く、この場合も、同様の効果が得られる。このため、灰受け面３７ａは、シガライター取付部３２の前方裏面側の一部を延出させて屈曲させることにより、断面略Ｌ字状に形成されている。
【００２１】
【発明の効果】
上述の如く、本発明に係る車両用シガライター装置は、車室内面に略水平面形状のシガライター取付部を設け、該シガライター取付部にシガライターを略垂直方向に向けて配設すると共に、前記シガライター取付部の下方に灰皿と別体に形成された略水平な灰受け面を配設しているので、シガライターから落下する灰が周囲に飛んで車室内を汚すのを防止できると共に、シガライターと灰皿のレイアウトの自由度を増大させることができる。
【００２２】
また、本発明の車両用シガライター装置では、車両の左右シートの間に配置されるフロアコンソールをコンソール本体と該コンソール本体に取付けられるカップホルダガーニッシュとで形成し、該カップホルダガーニッシュに略水平面形状のシガライター取付部を設け、該シガライター取付部にシガライターを略垂直方向に向けて配設すると共に、前記シガライター取付部の下方に位置する前記コンソール本体に灰皿と別体に形成された略水平な灰受け面を配設し、該灰受け面の周縁部に作業用開口部を設け、該作業用開口部に前記カップホルダガーニッシュを取付けているので、上記発明と同様の効果を奏することが可能となる上、大きな開口面積の作業用開口部が得られることによってシガライターハーネスの取り扱いが容易となり、組付作業性の向上を図ることができる。
【００２３】
さらに、本発明のシガライター装置において、カップホルダガーニッシュのシガライター取付部の下方側面部をガーニッシュ側壁およびカップホルダ部側壁によって囲ったり、灰受け面の側端部に凸部を形成することにすれば、シガライターから落ちる灰を灰受け面に案内し、周囲への落下および飛散を防ぐことが可能となり、シガライターハーネスの仮置きによって一層組付性を向上させることができる。
【図面の簡単な説明】
【図１】本発明の実施の形態に係る車両用シガライター装置を示す分解斜視図である。
【図２】図１における前側コンソールを示す要部拡大斜視図である。
【図３】図１のＡ方向から見たカップホルダガーニッシュの斜視図である。
【図４】本発明の実施の形態に係る車両用シガライター装置をフロアコンソールに組付けた状態を示す斜視図である。
【図５】図４におけるＢ−Ｂ線断面図である。
【図６】シガライターハーネスを仮置きし、カップホルダガーニッシュに結線する前の状態を示すフロアコンソールの分解斜視図である。
【図７】本発明の実施の形態に係る分割式のフロアコンソールボックスを示す分解斜視図である。
【図８】図７におけるフロアコンソールボックスを組付けた状態を示す斜視図である。
【図９】本発明の実施の形態の変形例に係る車両用シガライター装置を示す斜視図である。
【図１０】図９におけるＣ−Ｃ線断面図である。
【符号の説明】
１  シガライター装置
２  前側コンソール（コンソール本体）
３  後側コンソール
４  後部
５  前部
６  フロアパネル
７  フロントブラケット
８  センタブラケット
９  スクリュ
１２  ブレーキレバー
１３  パーキングブレーキ装置
１４  リヤブラケット
１５  カップホルダガーニッシュ
１６  作業用開口部
１８  スクリュ孔
１９  クリップ
２０  フロア取付部
２４  クリップ孔
２５  シガライター本体
２６  シガライターソケット
２７  カプラー
２８  シガライターハーネス
２９  貫通穴
３０  カップホルダ部
３１  物入れ部
３２  シガライター取付部
３２ａ  挿入穴
３３  クリップ
３４  爪状リブ
３５  取付穴
３６  差込穴
３７  灰受け面
３８  凸部
【図１】
2004196084.tif 000003
【図２】
2004196084.tif 000004
【図３】
2004196084.tif 000005
【図４】
2004196084.tif 000006
【図５】
2004196084.tif 000007
【図６】
2004196084.tif 000008
【図７】
2004196084.tif 000009
【図８】
2004196084.tif 000010
【図９】
2004196084.tif 000011
【図１０】
2004196084.tif 000012